(57)【要約】  製品に安全マーキングを付与するシステムにおいて、製品（１０）の表面は材料の中に渡って屈折率変化を示す光透過性材料の層（１４）により被覆され、それにより大分の視野角では材料は通常の拡散子として作用し、そうして製品の表面に施されて層（１４）により被覆されるマーキング（１２）を隠蔽または不明にするが、しかし臨界的な視野角からは、または臨界角に近い角度の限定された範囲からは当該層は効果的に透明となりマーキングを支障なく視認することが可能となる。一変形においては、マーキングはそれ自身、前記層の屈折率変化の態様で、層の中に取り込まれる。層（１４）は、たとえば通常の印刷マーキング上に、製品に光重合性材料の被覆を塗布して付与され、該材料を所定の入射角で視準化紫外光線に適宜に照射させて重合し、該層に目的の屈折率変化を起こさせる。
2005516271.tif 000002
【特許請求の範囲】
【請求項１】
製品の安全マーキングシステムであって、製品の表面が光透過性材料の層で被覆され、その材料はその材料中の屈折率の変化を示し、大部分の視野角からは材料は通常の光拡散子として作用し、それにより製品の表面に施されて当該層により被覆されるマーキングを隠蔽するかまたは不明にする、または当該層の中のマーキングを隠蔽または不明にするものであり、しかし臨界的な視野角または臨界角に近い限られた範囲の角度では当該層はマーキングの支障なく視認することが可能となるほど効果的に透明となるような該システム。
【請求項２】
請求項1のシステムであって、前記マーキングはそれ自身当該層中の屈折率変化により構成され、それにより大部分の視野角からは階調化屈折率層は一様な光拡散被覆の見かけを呈するものであるシステム。
【請求項３】
請求項1または2のシステムであって、光透過性材料の前記層は光重合性材料を光重合の照射に暴露することにより形成されるシステム。
【請求項４】
安全または真正認証のマーキングであって、それはたとえば対象の商品上に印刷された不透明マーキング、および階調化屈折率材料の上掛け（overlying）層または被覆からなり、後者は配列された結果商品のマークされた表面が視認される場合、大部分の視野角からは上掛け層または被覆は材料の光拡散性の結果として効果的に不透明となり、そうして印刷マーキングは隠蔽されるが、しかし臨界的な視野角からは透明であり、そして印刷マーキングは上掛け被覆を通して視認されることができるマーキング。
【請求項５】
安全または真正認証のマーキングを有する製品であって、当該製品は階調化屈折率材料の層または被覆を具備し、安全または真正認証のマーキングは屈折率材料自身の中に取り込まれ、たとえば、材料の選択された領域が光を拡散し、そしてすべての視野角からは実質的に不透明であるか、または階調化屈折率材料の残りの部分が透明になる視野角とは異なる視野角では透明であるように配列し、そうして前記材料の残りの部分が透明になる臨界的な視野角では視認されるものである製品。
【請求項６】
材料を加工して光パイプが材料の体積中に作り出される代わりに、マーキングが高度に反射性のドットで構成されるようにリップマン（Lippmann）層がレーザー光線を使用して創り出される先行のいずれに記載のマーキングシステム。
【請求項７】
安全マーキングを製品に付与する方法であって、該方法は光重合性材料の被覆を製品に施し、そして適宜の視準化照射線（たとえば視準化紫外光線）に所定の角度で適宜に暴露して該材料を重合し、それにより層の中に屈折率の変化を起こさせ、その結果、大部分の視野角からは階調化屈折率層は一様な光拡散被覆の見かけを呈するが、しかし臨界的な視野角、または臨界角に近い角度の限定された範囲では、当該層は効果的に透明になり、マーキングを支障なく視認することができることとなることからなる。
【発明の詳細な説明】
【技術分野】
【０００１】
本発明は購入者が真正商品であることを確認し、そしてたとえば違法コピーではないことを確かめることができるように製品、たとえば、ＣＤ、ＤＶＤ、ＣＤ−ＲＯＭにマーキングをする方法に関連する。
【０００２】
本発明の１つの態様によると、安全であるとして製品にマーキングするシステムが提供され、それによるとマーキングは製品表面に施され、材料中に渡って屈折率が変化しそれで大部分の視野角では材料は通常の光の拡散子として作用する光透過性材料の層により覆われ、そしてそれによりマーキングを隠蔽し不鮮明とするが、しかし臨界的な視野角または臨界角に近い角度の一定の範囲では、層は透明で、マーキングが障害なく視認することができる。
【０００３】
本発明の他の態様では、前記した態様のシステムが変形され、不透明なマーキングが、前記製品の表面に階調化屈折率層の適用の前に、施される代わりに（またはそれだけでなく）、大部分の視野角では階調化の屈折率層が均一な光拡散の被覆の見かけを呈するように、マーキングはそれ自身、層内の屈折率変化により構成される。
【０００４】
国際公開第０２／３９１８３号パンフレット（ＷＯ／０２３９１８３）；国際公開第０２／３９１８４号パンフレット（ＷＯ／０２３９１８４）；および国際公開第０２／３９１８５号パンフレット（ＷＯ／０２３９１８５）、これらの内容はここに組み入れられるが、シリコーン・ベースの光重合性材料を開示し、それは適当な放射線（たとえば紫外光）の適当な照射により重合し、そしてたとえば一定の臨界角で視準化光線（collimated  radiation）に暴露されることにより、上で引用した階調化された屈折率層のように機能する。本発明は他の光重合性材料が同様にして、同様なように機能することを見出した。
【０００５】
本発明の他の態様では、安全または真正商品のマーキングは、たとえば、関連商品上に印刷された不透明なマーキング、そして、階調化屈折率材料の上掛け（overlying）層または被覆からなり、後者は商品のマークをつけた表面が大部分の視野角から視認されると、上掛け層または被覆はこの光拡散性能の結果により不透明となる。このようにして印刷マーキングを隠蔽する、がしかし臨界的な視野角からは透明である（そして一般には臨界的な視野角に近い狭い視野角からも同様である）。その結果、印刷されたマーキングを上掛け（overlying）被覆を通して視認することができる。
【０００６】
他の態様では、安全または真正認証のマーキングは、階調化屈折率材料それ自身に組み入れられる、たとえば、次のように配列することによるものであり、それは材料の選択領域（たとえば、画定するキャラクター、数字または“バーコード”マーキング）が光拡散し、そしてすべての視野角で実質的に不透明か、または残りの階調化屈折率材料が透明になる視野角とは異なる視野角で透明であり、それにより残りの材料（たとえばマーキングの背景を構成する）が透明となる臨界的な視野角ではそれらは視認されることになる。もちろん、逆の配列も使用され得る。たとえば、階調化屈折率材料の“背景”領域が光拡散し、そしてすべての視野角から効果的に不透明であり、選択した領域、画定するキャラクター、数字またはバーコードのみが臨界的な視野角で透明でそして光拡散となり、そしてこのようにして“背景”領域と区別がつかないように他の視野角からは効果的に不透明となる。
【０００７】
以下に記載する本発明の態様は例示により説明され、添付の次の図面を参照される：
図１は、本発明を体現する安全マーキングの１つの形態を説明する概略断面図である。
図２は、図１と同様な図であるが、本発明を体現する安全マーキングの他の形態を説明する図である。
【０００８】
図１についていえば製品（たとえば製品の目的をなす記録またはデータを搬送しないＣＤまたはＣＤ−ＲＯＭの一部）に設けられた基板１０は、たとえばテキスト、連続番号またはバーコードの形態でその上に通常の印刷技術により塗布された真正マーキングを有する。
【０００９】
印刷された基板上には国際公開第０２／３９１８３号パンフレット（ＷＯ／０２３９１８３）；国際公開第０２／３９１８４号パンフレット（ＷＯ／０２３９１８４）；および国際公開第０２／３９１８５号パンフレット（ＷＯ／０２３９１８５）で開示されたような光重合性材料の層１４が塗布されている。後者の材料は重合前では粘凋液の形態であり、そしてワニスの塗装のように塗布されることができる。層１４は、それから、１６で示されるように塗布表面に対して（または該表面の垂直に対して）所定の角度で層１４に向かって、視準化された（たとえば実質的な平行光線による）ＵＶ光線に照射されて重合し、層１４の重合が生起する。かかる照射の態様に続いて、被覆１４は強靭で硬い層に変換されることができ、その層は光の拡散子として作用し、そして大部分の視野角からは拡散して、乳白状で半透明な被覆の見かけを呈するが、しかし特定の視野角からは、ここでは臨界角と称するが、全く透明な見かけを奏し、この現象は重合させるための被覆１４上へ向けられた光線１６の角度に依存する（そして一般的にはそれに対応する）ことを本発明者は見出した。
【００１０】
一方、国際公開第０２／３９１８３号パンフレット（ＷＯ／０２３９１８３）；国際公開第０２／３９１８４号パンフレット（ＷＯ／０２３９１８４）；および国際公開第０２／３９１８５号パンフレット（ＷＯ／０２３９１８５）で開示された材料では図１に描写された照射態様は被覆が光を拡散する程度をより良く調整するように、そしてそれにより多くの視野角では不透明な被覆に近似する程度に作用することを発明者は見出した一方、層１４は１８として示されるように光学マスク、たとえば国際公開第０２／３９１８３号パンフレット（ＷＯ／０２３９１８３）；国際公開第０２／３９１８４号パンフレット（ＷＯ／０２３９１８４）；および国際公開第０２／３９１８５号パンフレット（ＷＯ／０２３９１８５）において引用されるようにスペックル（speckle）マスクを通して照射されることができる。
【００１１】
この変形の詳細は、図２に示されるが、印刷マーキング１２は省略され、真正マーキング（テキスト、数字、またはなんでも）はこのようなマスクの全体として不透明な部分により画定され、そして、１つの角度からＵＶ光に主として照射後に、マスク１８は除かれ、層１４は他の角度からUV光に照射されてマスクの全体として不透明な以前の部分を重合させ、それにより最終製品大部分の視野角からは被覆は一様に拡散性に、たとえば灰色かまたは白色に見え、１つの臨界角からは被覆は透明な背景に対して拡散性に（白色または灰色）見え、そして他の臨界角からはマーキングは拡散性の（白色または灰色）背景に対して透明に見える。
【００１２】
より単純な配列では光重合性の層は同じ入射角でＵＶ光に均等に照射され、そしてテキスト、数字、バーコードなどのマーキングが材料上にまたは透明基材上に刻まれ、それにより全体的な光拡散領域からは区別がつかない感光性樹脂により構成される光拡散表面が、臨界的な視野角からは感光性樹脂の印のない領域では透明に見えることとなる。
【００１３】
ＣＤやＣＤ−ＲＯＭへの本発明の適用としては、これらは普通に保護で、透明な被覆を備え、そしてこれは、少なくともCD読み取り器のレーザー光学系により読み取られる必要のない領域上で、層１４のような感光性樹脂層により置換されると考えられる。
【００１４】
光重合した層の奏する効果は、光重合性材料中のいわゆる光パイプ（light-pipe）の形成によるものであり（光ファイバーに類似の作用）、重合光線の入射方向に沿って整列していると考えられる（出願人はこの仮説に拘泥はしないが）。光拡散作用から透明に切り替わるのは、Ｘ線結晶学で見られるブラッグ（Bragg）効果に類似すると推測される。
【００１５】
上述のように、出願人の仮説によると、本発明のシステムでは、光パイプは、一定の視野角では拡散は消滅し、そしてフィルムは透明になる効果を生起する条件下で、光重合フィルムにおける階調化屈折率効果を利用して創り出される。
【００１６】
本発明の他の態様では、臨界的な視野角はマーキングが施される表面の面に対して直角（垂直）であることができ、マーキング中のテキスト、数字、バーコードなどが、マーキングの背景の前後を光拡散させることにより視認されることができるように配列できる。
【００１７】
国際公開第０２／３９１８３号パンフレット（ＷＯ／０２３９１８３）；国際公開第０２／３９１８４号パンフレット（ＷＯ／０２３９１８４）；および国際公開第０２／３９１８５号パンフレット（ＷＯ／０２３９１８５）において開示される材料はマスクを使用することなしに上述の効果を作り出すように処方することができ、それで安全認証のラベル材料には理想的である。
【００１８】
このように本発明の一態様ではラベル、マーキングなどの領域または被覆が、真正であることの確証を明白に特徴づける、視野角の変化により透明性が切り替わるという光拡散性の性質を有する。一群の数字または他の情報または意匠は透明領域中に刻印され、それで領域または被覆の残りの部分が透明に見えても、そこはいつでも拡散を維持するか、または領域または被覆の残りの部分は拡散しているように見えてもそこはいつでも透明または明るいままであり、どの場合でも透かし（watermark）の様式を与える。このような製品はシャドウマスクの使用によりまたは刻印（impression）の使用によりまたは適当な波長の照射により形成され得る。
【００１９】
いずれかの製品、たとえば、中央のゾーンが透き通っているＣＤ、ＤＶＤ、ＣＤ−ＲＯＭ、または類似の記録媒体の透き通った部分があるところには、上述のラベル透き通った領域の上にまたは材料が沈積される領域の上に設けられ、それから目的の効果を奏するよう処理される。
【００２０】
製品の上のラベルまたは製品にある種の他の包装を有する上述の透明な領域を設け、それによりラベルを折り曲げて、またはＣＤの場合は、宝石ケースを開けて、中央の安全ハブ（securing  hub）にＣＤを置きそして該領域が透明になるときのＣＤが置かれている蓋の点を調べることにより、透明になる目的の角度が調べられることができる。透明な領域を有する代わりに、反射する領域を使用することができ、そして上述の効果が反射により観察されることができる。
【００２１】
国際公開第０２／３９１８３号パンフレット（ＷＯ／０２３９１８３）；国際公開第０２／３９１８４号パンフレット（ＷＯ／０２３９１８４）；および国際公開第０２／３９１８５号パンフレット（ＷＯ／０２３９１８５）において開示される材料のような、適当な材料およびジェットインキ印刷技術を使用して、光学的可変材料（光重合性材料）が反射または透明ラベル上にまたは製品の反射または透明領域上に印刷され、それからある一定の視野角でのみ視認できる印刷メッセージ、意匠またはテキスチャー（texture）を創り出すように加工される。
【００２２】
光パイプが材料の体積中に創出されるように材料を加工する代わりに、印刷が高度に反射性の印刷ドットからなるようにレーザー光線を使用してリップマン（Lippmann）層が創り出されることができる。リップマン層を用いるドットの色は層の厚みに依存するが、作られた色は加熱すると変化する。これは真正の試験に使用され得る。
【００２３】
本明細書中の“からなる”は“含むまたはのみからなる”を意味し、“からなり”は“含みまたはのみからなり”を意味する。
【００２４】
前述の記載、または以下の請求の範囲または添付の図面は、それらの特定の形式でまたは開示の機能または開示の効果を得られるような方法または過程を果たすような手段により適当であるように表現され、個別にまたはこれらの特徴が組み合わさって、多様な形式のこれらの発明が実現されるように利用され得る。
【図面の簡単な説明】
【００２５】
【図１】本発明を体現する安全マーキングの１つの形態を説明する概略断面図である。
【図２】図１と同様な図であるが、本発明を体現する安全マーキングの他の形態を説明する図である。
【図１】
2005516271.tif 000003
【図２】
2005516271.tif 000004
【国際調査報告】
2005516271.tif 000005
2005516271.tif 000006